【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
末端に重合性基を有する重合性液晶化合物を含む液晶組成物を、配向膜、配向制御添加剤、ラビング処理または該組成物の自己配向規制力により、該液晶化合物のメソゲン部位を配向制御して重合することにより得られる液晶重合体からなることを特徴とする放熱部材。
【請求項２】
前記重合性液晶化合物が下記式（１−１）で表される少なくとも１種の化合物であることを特徴とする請求項１に記載の放熱部材。
Ｒa1−Ｚ−（Ａ−Ｚ）m1−Ｒa1    ・・・（１−１）
［式（１−１）中、
Ｒa1は、独立に下記式（２−１）〜（２−６）で表される重合性基、水素、ハロゲン、シアノ、−ＣＦ3、−ＣＦ2Ｈ、−ＣＦＨ2、−ＯＣＦ3、−ＯＣＦ2Ｈ、−Ｎ＝Ｃ＝Ｏ、−Ｎ＝Ｃ＝Ｓまたは炭素数１〜２０のアルキルであり、
該アルキルにおいて、任意の−ＣＨ2−は、−Ｏ−、−Ｓ−、−ＳＯ2−、−ＣＯ−、−ＣＯＯ−、−ＯＣＯ−、−ＣＨ＝ＣＨ−、−ＣＦ＝ＣＦ−または−Ｃ≡Ｃ−で置き換えられてもよく、任意の水素は、ハロゲンまたはシアノで置き換えられてもよく、
Ｒa1の少なくとも１つは、式（２−１）〜（２−６）で表される重合性基であり；
Ａは、１，４−シクロヘキシレン、１，４−シクロヘキセニレン、１，４−フェニレン、ナフタレン−２，６−ジイル、テトラヒドロナフタレン−２，６−ジイル、フルオレン−２，７−ジイル、ビシクロ［２．２．２］オクト−１，４−ジイル、ビシクロ［３．１．０］ヘキス−３，６−ジイルまたは下記式（３−１）〜（３−１０）で表される２価の基であり、
これらの環において、任意の−ＣＨ2−は−Ｏ−で置き換えられてもよく、任意の−ＣＨ＝は−Ｎ＝で置き換えられてもよく、任意の水素は、ハロゲン、炭素数１〜１０のアルキルまたは炭素数１〜１０のハロゲン化アルキルで置き換えられてもよく、
該アルキルにおいて、任意の−ＣＨ2−は、−Ｏ−、−ＣＯ−、−ＣＯＯ−、−ＯＣＯ−、−ＣＨ＝ＣＨ−または−Ｃ≡Ｃ−で置き換えられてもよく；
Ｚは、独立に単結合または炭素数１〜２０のアルキレンであり、
該アルキレンにおいて、任意の−ＣＨ2−は、−Ｏ−、−Ｓ−、−ＣＯ−、−ＣＯＯ−、−ＯＣＯ−、−ＣＨ＝ＣＨ−、−ＣＦ＝ＣＦ−、−ＣＨ＝Ｎ−、−Ｎ＝ＣＨ−、−Ｎ＝Ｎ−、−Ｎ（Ｏ）＝Ｎ−または−Ｃ≡Ｃ−で置き換えられてもよく、任意の水素はハロゲンで置き換えられてもよく；
ｍ１は１〜６の整数である。］
【化１】
2006265527.tif 000001
［式（２−１）〜（２−６）中、Ｒbは、独立に水素、ハロゲン、−ＣＦ3または炭素数１〜５のアルキルであり、ｑは０または１である。］
【化２】
2006265527.tif 000002
【請求項３】
前記式（１−１）中、Ｒa1の少なくとも一つが、前記式（２−１）、（２−５）または（２−６）で表される重合性基であることを特徴とする請求項２に記載の放熱部材。
【請求項４】
前記式（１−１）中、
Ｒa1の少なくとも一つが、前記式（２−１）、（２−５）または（２−６）で表される重合性基であり；
Ａが、１，４−シクロヘキシレン、任意の水素がハロゲンで置き換えられた１，４−シクロヘキシレン、１，４−フェニレン、任意の水素がハロゲンもしくはメチルで置き換えられた１，４−フェニレン、フルオレン−２，７−ジイルまたは任意の水素がハロゲンもしくはメチルで置き換えられたフルオレン−２，７−ジイルであることを特徴とする請求項２に記載の放熱部材。
【請求項５】
前記式（１−１）中、
Ｒa1の少なくとも一つが、前記式（２−１）、（２−５）または（２−６）で表される重合性基であり；
Ａが、１，４−シクロヘキシレン、任意の水素がハロゲンで置き換えられた１，４−シクロヘキシレン、１，４−フェニレン、任意の水素がハロゲンもしくはメチルで置き換えられた１，４−フェニレン、フルオレン−２，７−ジイルまたは任意の水素がハロゲンもしくはメチルで置き換えられたフルオレン−２，７−ジイルであり；
Ｚが、単結合、−（ＣＨ2）a−、−Ｏ（ＣＨ2）a−、−（ＣＨ2）aＯ−、−Ｏ（ＣＨ2）aＯ−、−ＣＨ＝ＣＨ−、−Ｃ≡Ｃ−、−ＣＯＯ−、−ＯＣＯ−、−ＣＨ＝ＣＨ−ＣＯＯ−、−ＯＣＯ−ＣＨ＝ＣＨ−、−ＣＨ2ＣＨ2−ＣＯＯ−、−ＯＣＯ−ＣＨ2ＣＨ2−、−ＣＨ＝Ｎ−、−Ｎ＝ＣＨ−、−Ｎ＝Ｎ−、−ＯＣＦ2−または−ＣＦ2Ｏ−であり、該ａが１〜２０の整数であることを特徴とする請求項２に記載の放熱部材。
【請求項６】
前記式（１−１）中、Ｒa1の少なくとも一つが、前記式（２−２）、（２−３）または（２−４）で表される重合性基であることを特徴とする請求項２に記載の放熱部材。
【請求項７】
前記式（１−１）中、
Ｒa1の少なくとも一つが、前記式（２−２）、（２−３）または（２−４）で表される重合性基であり；
Ａが、１，４−シクロヘキシレン、任意の水素がハロゲンで置き換えられた１，４−シクロヘキシレン、１，４−フェニレン、任意の水素がハロゲンもしくはメチルで置き換えられた１，４−フェニレン、フルオレン−２，７−ジイルまたは任意の水素がハロゲンもしくはメチルで置き換えられたフルオレン−２，７−ジイルであることを特徴とする請求項２に記載の放熱部材。
【請求項８】
前記式（１−１）中、
Ｒa1の少なくとも一つが、前記式（２−２）、（２−３）または（２−４）で表される重合性基であり；
Ａが、１，４−シクロヘキシレン、任意の水素がハロゲンで置き換えられた１，４−シクロヘキシレン、１，４−フェニレン、任意の水素がハロゲンもしくはメチルで置き換えられた１，４−フェニレン、フルオレン−２，７−ジイルまたは任意の水素がハロゲンもしくはメチルで置き換えられたフルオレン−２，７−ジイルであり；
Ｚが、単結合、−（ＣＨ2）a−、−Ｏ（ＣＨ2）a−、−（ＣＨ2）aＯ−、−Ｏ（ＣＨ2）aＯ−、−ＣＨ＝ＣＨ−、−Ｃ≡Ｃ−、−ＣＯＯ−、−ＯＣＯ−、−ＣＨ＝ＣＨ−ＣＯＯ−、−ＯＣＯ−ＣＨ＝ＣＨ−、−ＣＨ2ＣＨ2−ＣＯＯ−、−ＯＣＯ−ＣＨ2ＣＨ2−、−ＣＨ＝Ｎ−、−Ｎ＝ＣＨ−、−Ｎ＝Ｎ−、−ＯＣＦ2−または−ＣＦ2Ｏ−であり、該ａが１〜２０の整数であることを特徴とする請求項２に記載の放熱部材。
【請求項９】
前記式（１−１）中、
Ｒa1の少なくとも一つが、前記式（２−１）、（２−５）または（２−６）で表される重合性基であり；
Ａが、１，４−シクロヘキシレン、１，４−フェニレン、任意の水素がハロゲンもしくはメチルで置き換えられた１，４−フェニレン、フルオレン−２，７−ジイルまたは任意の水素がハロゲンもしくはメチルで置き換えられたフルオレン−２，７−ジイルであり；
Ｚが、単結合、−ＣＯＯ−、−ＯＣＯ−、−（ＣＨ2）a−、−ＣＨ＝ＣＨ−ＣＯＯ−、−ＯＣＯ−ＣＨ＝ＣＨ−、−ＣＨ2ＣＨ2−ＣＯＯ−、−ＯＣＯ−ＣＨ2ＣＨ2−、−Ｏ（ＣＨ2）a−、−（ＣＨ2）aＯ−または−Ｏ（ＣＨ2）aＯ−であり、該ａが１〜２０の整数であることを特徴とする請求項２に記載の放熱部材。
【請求項１０】
前記式（１−１）中、
Ｒa1の少なくとも一つが、前記式（２−１）、（２−５）または（２−６）で表される重合性基であり；
Ａが、１，４−フェニレン、任意の水素がＣｌ、Ｆもしくはメチルで置き換えられた１，４−フェニレン、フルオレン−２，７−ジイルまたは任意の水素がＦもしくはメチルで置き換えられたフルオレン−２，７−ジイルであり；
Ｚが、−ＣＯＯ−、−ＯＣＯ−、−（ＣＨ2）a−、−Ｏ（ＣＨ2）a−、−（ＣＨ2）aＯ−または−Ｏ（ＣＨ2）aＯ−であり、該ａが１〜２０の整数であることを特徴とする請求項２に記載の放熱部材。
【請求項１１】
前記式（１−１）中、
Ｒa1の少なくとも一つが、前記式（２−２）、（２−３）または（２−４）で表される重合性基であり；
Ａが、１，４−シクロヘキシレン、任意の水素がハロゲンで置き換えられた１，４−シクロヘキシレン、１，４−フェニレン、任意の水素がハロゲンもしくはメチルで置き換えられた１，４−フェニレン、フルオレン−２，７−ジイルまたは任意の水素がハロゲンもしくはメチルで置き換えられたフルオレン−２，７−ジイルであり；
Ｚが、単結合、−ＣＯＯ−、−ＯＣＯ−、−（ＣＨ2）a−、−Ｏ（ＣＨ2）a−、−（ＣＨ2）aＯ−または−Ｏ（ＣＨ2）aＯ−であり、該ａが１〜２０の整数であることを特徴とする請求項２に記載の放熱部材。
【請求項１２】
前記式（１−１）中、
Ｒa1の少なくとも一つが、前記式（２−２）、（２−３）または（２−４）で表される重合性基であり；
Ａが、１，４−シクロヘキシレン、１，４−フェニレン、任意の水素がハロゲンもしくはメチルで置き換えられた１，４−フェニレン、フルオレン−２，７−ジイルまたは任意の水素がハロゲンもしくはメチルで置き換えられたフルオレン−２，７−ジイルであり；
Ｚが、−ＣＯＯ−、−ＯＣＯ−、−（ＣＨ2）a−、−Ｏ（ＣＨ2）a−、−（ＣＨ2）aＯ−または−Ｏ（ＣＨ2）aＯ−であり、該ａが１〜２０の整数であることを特徴とする請求項２に記載の放熱部材。
【請求項１３】
前記式（１−１）中、
Ｒa1の少なくとも一つが、前記式（２−２）、（２−３）または（２−４）で表される重合性基であり；
Ａが、１，４−フェニレン、任意の水素がＣｌ、Ｆもしくはメチルで置き換えられた１，４−フェニレン、フルオレン−２，７−ジイルまたは任意の水素がＦもしくはメチルで置き換えられたフルオレン−２，７−ジイルであり；
Ｚが、−ＣＯＯ−、−ＯＣＯ−、−（ＣＨ2）a−、−Ｏ（ＣＨ2）a−、−（ＣＨ2）aＯ−または−Ｏ（ＣＨ2）aＯ−であり、該ａが１〜２０の整数であることを特徴とする請求項２に記載の放熱部材。
【請求項１４】
前記重合性液晶化合物が下記式（１−２）で表される少なくとも１種の化合物であることを特徴とする請求項１に記載の放熱部材。
【化３】
2006265527.tif 000003
［式（１−２）中、
Ｒa2は、独立に水素、ハロゲン、シアノ、−ＣＦ3、−ＣＦ2Ｈ、−ＣＦＨ2、−ＯＣＦ3、−ＯＣＦ2Ｈ、−Ｎ＝Ｃ＝Ｏ、−Ｎ＝Ｃ＝Ｓまたは炭素数１〜２０のアルキルであり、
該アルキルにおいて、任意の−ＣＨ2−は−Ｏ−、−Ｓ−、−ＳＯ2−、−ＣＯ−、−ＣＯＯ−、−ＯＣＯ−、−ＣＨ＝ＣＨ−、−ＣＦ＝ＣＦ−または−Ｃ≡Ｃ−で置き換えられてもよく、任意の水素はハロゲンまたはシアノで置き換えられてもよく；
Ｒa3は、請求項２に記載の式（２−１）〜（２−６）のいずれかで表される重合性基であり；
Ａは、独立に１，４−シクロヘキシレン、１，４−シクロヘキセニレン、１，４−フェニレン、ナフタレン−２，６−ジイル、テトラヒドロナフタレン−２，６−ジイル、フルオレン−２，７−ジイル、ビシクロ［２．２．２］オクト−１，４−ジイル、ビシクロ［３．１．０］ヘキス−３，６−ジイルまたは請求項２に記載の式（３−１）〜（３−１０）で表される２価の基であり、
これらの環において、任意の−ＣＨ2−は−Ｏ−で置き換えられてもよく、任意の−ＣＨ＝は−Ｎ＝で置き換えられてもよく、任意の水素はハロゲン、炭素数１〜１０のアルキルまたは炭素数１〜１０のハロゲン化アルキルで置き換えられてもよく、
該アルキルにおいて、任意の−ＣＨ2−は、−Ｏ−、−ＣＯ−、−ＣＯＯ−、−ＯＣＯ−、−ＣＨ＝ＣＨ−または−Ｃ≡Ｃ−で置き換えられてもよく；
Ｚは、独立に単結合または炭素数１〜２０のアルキレンであり、
該アルキレンにおいて、任意の−ＣＨ2−は−Ｏ−、−Ｓ−、−ＣＯ−、−ＣＯＯ−、−ＯＣＯ−、−ＣＨ＝ＣＨ−、−ＣＦ＝ＣＦ−、−ＣＨ＝Ｎ−、−Ｎ＝ＣＨ−、−Ｎ＝Ｎ−、−Ｎ（Ｏ）＝Ｎ−または−Ｃ≡Ｃ−で置き換えられてもよく、任意の水素はハロゲンで置き換えられてもよく；
Ｙは単結合または炭素数１〜２０のアルキレンであり、
該アルキレンにおいて、任意の−ＣＨ2−は−Ｏ−、−Ｓ−、−ＣＯ−、−ＣＯＯ−、−ＯＣＯ−または−ＣＨ＝ＣＨ−で置き換えられてもよく、任意の水素はハロゲンで置き換えられてもよく；
ｍ２およびｎ２は、それぞれ０〜５の整数である。］
【請求項１５】
前記式（１−２）中、Ｒa3が請求項２に記載の式（２−１）、（２−５）または（２−６）で表される重合性基である請求項１４に記載の放熱部材。
【請求項１６】
前記式（１−２）中、ｍ２＋ｎ２が１〜３の整数である請求項１４に記載の放熱部材。
【請求項１７】
前記式（１−２）中、ｍ２＋ｎ２が２である請求項１４に記載の放熱部材。
【請求項１８】
前記式（１−２）中、
Ｒa2が、独立に炭素数１〜１０のアルキル、炭素数１〜１０のアルコキシまたは炭素数２〜１０のアルケニルであり、これらの任意の水素はフッ素で置き換えられてもよく；
Ｒa3が、請求項２に記載の式（２−１）、（２−５）または（２−６）で表される重合性基であり；
Ａが、独立に１，４−シクロヘキシレン、１，４−フェニレン、ピリジン−２，５−ジイル、ピリダジン−３，６−ジイルまたはピリミジン−２，５−ジイルであり、これらの任意の水素は、塩素、フッ素、炭素数１〜３のアルキルまたは炭素数１〜３のフルオロアルキルで置き換えられてもよく；
Ｚが、独立に単結合、−ＣＨ2Ｏ−、−ＯＣＨ2−、−ＣＯＯ−、−ＯＣＯ−、−ＣＨ＝ＣＨ−、−（ＣＨ2）2ＣＯＯ−、−ＯＣＯ（ＣＨ2）2−、−ＣＨ＝ＣＨ−ＣＯＯ−、−ＯＣＯ−ＣＨ＝ＣＨ−または−Ｃ≡Ｃ−であり；
Ｙが単結合または炭素数１〜１０のアルキレンであり、該アルキレンにおいて任意の−ＣＨ2−は−Ｏ−、−ＣＯＯ−または−ＯＣＯ−で置き換えられてもよい請求項１４に記載の放熱部材。
【請求項１９】
前記式（１−２）中、
Ｒa2が、独立に炭素数１〜１０のアルキルまたは炭素数１〜１０のアルコキシであり；
Ｒa3が、請求項２に記載の式（２−１）、（２−５）または（２−６）で表される重合性基であり；
Ａが、独立に１，４−シクロヘキシレンまたは１，４−フェニレンであり；
Ｚが、独立に単結合、−ＣＯＯ−、−ＯＣＯ−、−ＣＨ＝ＣＨ−、−（ＣＨ2）2ＣＯＯ−、−ＯＣＯ（ＣＨ2）2−、−ＣＨ＝ＣＨ−ＣＯＯ−、−ＯＣＯ−ＣＨ＝ＣＨ−または−Ｃ≡Ｃ−であり；
Ｙが単結合または炭素数１〜１０のアルキレンであり、該アルキレンにおいて環に隣接する−ＣＨ2−が−Ｏ−、−ＣＯＯ−または−ＯＣＯ−で置き換えられてもよい請求項１４に記載の放熱部材。
【請求項２０】
前記液晶組成物が、非重合性の液晶性化合物を含有することを特徴とする請求項１〜１９のいずれかに記載の放熱部材。
【請求項２１】
前記液晶組成物が光学活性であることを特徴とする請求項１〜２０のいずれかに記載の放熱部材。
【請求項２２】
前記液晶組成物が、請求項２に記載の式（１−１）または請求項１４に記載の式（１−２）で表わされる液晶化合物以外の重合性光学活性化合物を含有することを特徴とする請求項１〜２１のいずれかに記載の放熱部材。
【請求項２３】
前記液晶組成物が、請求項２に記載の式（１−１）または請求項１４に記載の式（１−２）で表わされる液晶化合物以外の非重合性光学活性化合物を含有することを特徴とする請求項１〜２２のいずれかに記載の放熱部材。
【請求項２４】
前記液晶組成物が無機充填剤を含有することを特徴とする請求項１〜２３のいずれかに記載の放熱部材。
【請求項２５】
前記液晶組成物が金属充填剤を含有することを特徴とする請求項１〜２３のいずれかに記載の放熱部材。
【請求項２６】
前記液晶重合体が、前記液晶組成物を、ホモジニアス、ツイスト、ホメオトロピック、ハイブリッド、ベンドまたはスプレー配向させて重合することにより得られたことを特徴とする請求項１〜２５のいずれかに記載の放熱部材。
【請求項２７】
前記液晶重合体が、前記液晶組成物を、配向制御添加剤によりホモジニアス、ツイスト、ホメオトロピック、ハイブリッドまたはスプレー配向させて重合することにより得られたことを特徴とする請求項１〜２５のいずれかに記載の放熱部材。
【請求項２８】
前記液晶重合体が、前記液晶組成物を、ラビング処理によりホモジニアス、ツイスト、ハイブリッドまたはスプレー配向させて重合することにより得られたことを特徴とする請求項１〜２５のいずれかに記載の放熱部材。
【請求項２９】
高分子成形体であることを特徴とする請求項１〜２８のいずれかに記載の放熱部材。
【請求項３０】
シートであることを特徴とする請求項１〜２８のいずれかに記載の放熱部材。
【請求項３１】
フィルムであることを特徴とする請求項１〜２８のいずれかに記載の放熱部材。
【請求項３２】
薄膜であることを特徴とする請求項１〜２８のいずれかに記載の放熱部材。
【請求項３３】
熱伝導度が０．３Ｗ／（Ｋ・ｍ）以上であることを特徴とする請求項１〜３２のいずれかに記載の放熱部材。
【請求項３４】
末端に重合性基を有する重合性液晶化合物を含む液晶組成物を、配向膜、配向制御添加剤、ラビング処理または該組成物の自己配向規制力により、該液晶化合物のメソゲン部位を配向制御して重合することを特徴とする放熱部材の製造方法。
【手続補正２】
【補正対象書類名】明細書
【補正対象項目名】００１１
【補正方法】変更
【補正の内容】
【００１１】
式（２−１）〜（２−６）中、Ｒbは、独立に水素、ハロゲン、−ＣＦ3または炭素数１〜５のアルキルであり、ｑは０または１である。
【手続補正３】
【補正対象書類名】明細書
【補正対象項目名】００２７
【補正方法】変更
【補正の内容】
【００２７】
［１５］  前記式（１−２）中、Ｒa3が［２］に記載の式（２−１）、（２−５）または（２−６）で表される重合性基である［１４］に記載の放熱部材。
［１６］  前記式（１−２）中、ｍ２＋ｎ２が１〜３の整数である［１４］に記載の放熱部材。
【手続補正４】
【補正対象書類名】明細書
【補正対象項目名】００２８
【補正方法】変更
【補正の内容】
【００２８】
［１７］  前記式（１−２）中、ｍ２＋ｎ２が２である［１４］に記載の放熱部材。
［１８］  前記式（１−２）中、Ｒa2が、独立に炭素数１〜１０のアルキル、炭素数１〜１０のアルコキシまたは炭素数２〜１０のアルケニルであり、これらの任意の水素はフッ素で置き換えられてもよく；Ｒa3が、［２］に記載の式（２−１）、（２−５）または（２−６）で表される重合性基であり；Ａが、独立に１，４−シクロヘキシレン、１，４−フェニレン、ピリジン−２，５−ジイル、ピリダジン−３，６−ジイルまたはピリミジン−２，５−ジイルであり、これらの任意の水素は、塩素、フッ素、炭素数１〜３のアルキルまたは炭素数１〜３のフルオロアルキルで置き換えられてもよく；Ｚが、独立に単結合、−ＣＨ2Ｏ−、−ＯＣＨ2−、−ＣＯＯ−、−ＯＣＯ−、−ＣＨ＝ＣＨ−、−（ＣＨ2）2ＣＯＯ−、−ＯＣＯ（ＣＨ2）2−、−ＣＨ＝ＣＨ−ＣＯＯ−、−ＯＣＯ−ＣＨ＝ＣＨ−または−Ｃ≡Ｃ−であり；Ｙが単結合または炭素数１〜１０のアルキレンであり、該アルキレンにおいて任意の−ＣＨ2−は−Ｏ−、−ＣＯＯ−または−ＯＣＯ−で置き換えられてもよい［１４］に記載の放熱部材。
【手続補正５】
【補正対象書類名】明細書
【補正対象項目名】００２９
【補正方法】変更
【補正の内容】
【００２９】
［１９］  前記式（１−２）中、Ｒa2が、独立に炭素数１〜１０のアルキルまたは炭素数１〜１０のアルコキシであり；Ｒa3が、［２］に記載の式（２−１）、（２−５）または（２−６）で表される重合性基であり；Ａが、独立に１，４−シクロヘキシレンまたは１，４−フェニレンであり；Ｚが、独立に単結合、−ＣＯＯ−、−ＯＣＯ−、−ＣＨ＝ＣＨ−、−（ＣＨ2）2ＣＯＯ−、−ＯＣＯ（ＣＨ2）2−、−ＣＨ＝ＣＨ−ＣＯＯ−、−ＯＣＯ−ＣＨ＝ＣＨ−または−Ｃ≡Ｃ−であり；Ｙが単結合または炭素数１〜１０のアルキレンであり、該アルキレンにおいて環に隣接する−ＣＨ2−が−Ｏ−、−ＣＯＯ−または−ＯＣＯ−で置き換えられてもよい［１４］に記載の放熱部材。